(57)【要約】    【課題】  ゴムバンド等の小物を収容する袋体のチャックを開閉するスライダーの移動を阻止すると共に、容易に除去できる移動阻止部材を備えるチャック付き袋体を提供することである。【解決手段】  折り曲げ部４Ｃを備える二つ折り構成の移動阻止部材４を、前記折り曲げ部４Ｃを上側に開口端部を下側にして、チャック２を開閉するスライダー３の上部から前記チャックを跨ぐように被覆し、前記折り曲げ部が前記袋体の上端部１Ｂに当接する程まで押し込むと共に、前記開口端部を形成する両側の下側部４Ａを袋体本体１Ａに貼付する構成のチャック付き袋体１とし、前記下側部４Ａと前記折り曲げ部４Ｃの間に、２ラインのミシン線５に挟まれた二重ミシン線部４Ｂを設ける構成とした。【選択図】    図１
0003105448.tif 000002
【実用新案登録請求の範囲】
【請求項１】
スライダーにより開閉するチャックを備えるチャック付き袋体であって、
前記スライダーを移動して前記チャックを閉めた状態で、前記スライダーの移動を阻止する位置に移動阻止部材を配設すると共に、
前記移動阻止部材が二つ折りに折り曲げられた紙材であり、折り曲げ部を上側に開口端部を下側にして、前記チャック上部から該チャックを跨ぐように被覆し、前記折り曲げ部が前記袋体の上端部に当接する程まで押し込み、前記開口端部のそれぞれの下側部を袋体本体に貼付すると共に、貼付する表裏二枚の下側部の上部にそれぞれ並行した２ラインのミシン線に挟まれた二重ミシン線部分を設ける構成としたことを特徴とするチャック付き袋体。
【請求項２】
前記移動阻止部材の折り曲げ部を上側に開口端部を下側にして、前記スライダーの上部から該スライダーを跨ぐように被覆する構成としたことを特徴とする請求項１に記載のチャック付き袋体。
【請求項３】
前記二重ミシン線部の幅が指で摘める程度の幅であることを特徴とする請求項１または２に記載のチャック付き袋体。
【請求項４】
前記移動阻止部材の幅が袋体本体の幅の半分以下であることを特徴とする請求項１から３のいずれかに記載のチャック付き袋体。
【請求項５】
前記移動阻止部材の色または模様を、袋体に収納する製品により変える構成としていることを特徴とする請求項１から３のいずれかに記載のチャック付き袋体。
【考案の詳細な説明】
【技術分野】
【０００１】
本考案は、例えばゴムバンド等の小物を収容する袋体に係り、さらに詳しくは、袋体の開閉を容易とするチャック付き袋体に関するものである。
【背景技術】
【０００２】
従来、ゴムバンド等の小物を収容する袋体としては、塩化ビニールやポリエチレン等の樹脂製の袋や紙袋が用いられている。また、該袋体への収容物の収容と取り出しを容易にするために前記袋体の開口部に開閉自在なチャックを設けたものもある。
【０００３】
前記チャックは、雌雄爪からなる咬合部であって、前記チャックに装着するスライダーをチャックに沿って移動さすことで、前記雌雄爪同士を咬合させたり、また開放して前記チャックを開閉する構成としている。
【０００４】
そのために、ゴムバンド等の製品を収容したチャック付き袋体を多数まとめて梱包し、搬送する際に、前記スライダーが他の部材に当接して動いてしまう場合があり、前記チャックが開くことがある。
【０００５】
また、製品を収容したチャック付き袋体を販売店等の製品棚に陳列した際にも、心無い購入者や見物人により、勝手にスライダーを動かして、袋を開封したり、中の製品を取り出したりする場合がある。
【０００６】
そのために、前記スライダーの移動を阻止して袋体本体の開閉を防止するとした袋体の開閉防止部材が既に出願されている（例えば、特許文献１参照）。
【特許文献１】登録実用第３０７７１３１号公報（第１−１３頁、第１図）
【考案の開示】
【考案が解決しようとする課題】
【０００７】
図５に示す従来のチャック付き袋体１０の開閉防止部材２０は、袋体本体１１の幅Ｃ全体に貼付されていると共に、切取り線２２も表裏一対の紙部材にそれぞれ１ライン設けられたミシン線であって、前記開閉防止部材２０の先端頂部２１を指で摘んで引張り、前記表裏一対のミシン線を引き裂く動作が必要であった。
【０００８】
そのために、チャック２Ａを開閉するスライダー３Ａを露出するためには、開閉防止部材２０の表裏一対の紙部材を同時に引き裂くことになり、指先の力を要し容易ではなかった。
【０００９】
また、前記開閉防止部材２０の先端頂部２１が、袋体本体１１から上に大きく飛び出した形状であり、高さＨ３の前記開閉防止部材２０が貼付されて、前記袋体本体１１の高さＨ１０から高さＨ４だけ飛び出す構成となり、この飛び出した部分が輸送中に折れ曲がり、見栄えが悪くなると共に、切取り線１２の切断動作に支障をきたす場合があった。
【００１０】
さらに、袋体本体１１の高さＨ１０よりも高さＨ４だけ全高さが高くなるので、多数の袋を梱包する梱包箱６Ａも高さＨ２Ａではなく、高さＨ２Ｂ必要となり、それだけ大きな梱包箱が必要となり、搬送効率が悪くなるという問題がある。
【００１１】
本考案の目的は、ゴムバンド等の小物を収容する袋体のチャックを開閉するスライダーの移動を阻止すると共に、容易に除去できる移動阻止部材を備えるチャック付き袋体を提供することである。
【課題を解決するための手段】
【００１２】
上記の目的を達成するために請求項１に係る考案は、スライダーにより開閉するチャックを備えるチャック付き袋体であって、前記スライダーを移動して前記チャックを閉めた状態で、前記スライダーの移動を阻止する位置に移動阻止部材を配設すると共に、前記移動阻止部材が二つ折りに折り曲げられた紙材であり、折り曲げ部を上側に開口端部を下側にして、前記チャック上部から該チャックを跨ぐように被覆し、前記折り曲げ部が前記袋体の上端部に当接する程まで押し込み、前記開口端部のそれぞれの下側部を袋体本体に貼付すると共に、貼付する表裏二枚の下側部の上部にそれぞれ並行した２ラインのミシン線に挟まれた二重ミシン線部分を設ける構成としたことを特徴としている。
【００１３】
上記の構成を有する請求項１に係る考案によれば、チャックを開閉するスライダーの移動阻止部材を袋体上端部に当接する程まで押し込んで装着するので、袋体本体の高さと略同じ高さとすることができる。さらには並行な２ラインのミシン線であるので、該二重ミシン線部で容易に切断することができる。
【００１４】
請求項２に係る考案は、前記移動阻止部材の折り曲げ部を上側に開口端部を下側にして、前記スライダーの上部から該スライダーを跨ぐように被覆する構成としたことを特徴としている。
【００１５】
上記の構成を有する請求項２に係る考案によれば、チャックを開閉するスライダーの移動阻止部材をスライダーを覆うように装着するので、スライダーの移動を完全に阻止することができる。
【００１６】
請求項３に係る考案は、前記二重ミシン線部の幅が指で摘める程度の幅であることを特徴としている。
【００１７】
上記の構成を有する請求項３に係る考案によれば、二重ミシン線部を指で摘んで引っ張るだけで、前記二重ミシン線部を切り取ることができ、切断作業が容易となる。
【００１８】
請求項４に係る考案は、前記移動阻止部材の幅が袋体本体の幅の半分以下であることを特徴としている。
【００１９】
上記の構成を有する請求項４に係る考案によれば、小さな移動阻止部材で確実にスライダーの移動を阻止することができる構成であり、部品コストを節約できると共に、該移動阻止部材の切断作業が容易となる。
【００２０】
請求項５に係る考案は、前記移動阻止部材の色または模様を、袋体に収納する製品により変える構成としていることを特徴としている。
【００２１】
上記の構成を有する請求項５に係る考案によれば、袋体が同一サイズでよく似たものであっても、前記移動阻止部材の色または模様を変えることで、袋体に収納されている製品を容易に判別することができる。
【考案の効果】
【００２２】
本考案によれば、二つ折りされた開口端部を下側に、折り曲げ部を上側にして、チャックを開閉するスライダーの上部から該スライダーの移動を阻止する位置に移動阻止部材を配設する際に、前記チャック上部から該チャックを跨ぐように被覆し、前記折り曲げ部が前記袋体の上端部に当接する程まで押し込み、前記開口端部のそれぞれの下側部を袋体本体に貼付すると共に、貼付した表裏二枚の下側部の上部にそれぞれ並行した２ラインのミシン線に挟まれた二重ミシン線部分を設ける構成の移動阻止部材を備えるチャック付き袋体としているので、袋体のチャックを開閉するスライダーの移動を完璧に阻止することができると共に、袋体を開封する際には前記二重ミシン線部を切断することで移動阻止部材を容易に除去できるチャック付き袋体とすることができる。
【考案を実施するための最良の形態】
【００２３】
ゴムバンド等の小物を収容する袋体のチャックを開閉するスライダーの移動を阻止すると共に、袋体を開封する際には、容易に除去できる移動阻止部材を備えるチャック付き袋体を得るという目的を、二つ折りに折り曲げた折り曲げ部を上側に開口端部を下側にして、前記チャック上部から該チャックを跨ぐように被覆し、前記折り曲げ部が前記袋体の上端部に当接する程まで押し込み、前記開口端部のそれぞれの下側部を袋体本体に貼付すると共に、貼付する表裏二枚の下側部の上部にそれぞれ並行した２ラインのミシン線に挟まれた二重ミシン線部分を設ける構成の移動阻止部材を備えるチャック付き袋体とすることで実現した。
【実施例】
【００２４】
以下、本考案に係るチャック付き袋体の実施例について、図１から図５に基づいて説明する。
【００２５】
図１は本考案に係るチャック付き袋体の第一の実施例を示しており、（ａ）は移動阻止部材を備えたチャック付き袋体の全体正面図であり、（ｂ）は二重ミシン線部を除去したところを示すチャック付き袋体の一部正面図である。
【００２６】
図１（ａ）に示すように本考案に係るチャック付き袋体１は、袋体本体１Ａの開口側の上端部１Ｂに雌雄爪からなるチャック２を設けた構成であり、該チャック２を開閉するためのスライダー３を備えている。さらに、製品を収納して搬送する際には、前記チャック２の不正開封を防止するために、前記スライダーの移動を阻止する移動阻止部材４を装着して出荷する構成としている。
【００２７】
前記移動阻止部材４は図２に示すように、紙材を二つ折り状態に折り曲げたものであって、開口端部を形成する両方の下側部４Ａと、２ラインのミシン線５、５に挟まれた二重ミシン線部４Ｂと、上側の折り曲げ部４Ｃとを備えている。前記下側部４Ａは開口端部を形成する表裏二枚にそれぞれ共通であり、前記２ラインのミシン線５、５も表面４ａと裏面４ｂとの両方共にそれぞれ設けられている。
【００２８】
また、前記下側部４Ａの裏面には接着剤が塗布されていて、表裏両方の下側部が袋体本体１Ａに接着する構成としている。ただし、二重ミシン線部４Ｂと折り曲げ部４Ｃには接着剤は塗布されていない。
【００２９】
そのために、前記２ラインのミシン線５、５の間を摘んで引っ張ると切り取ることができ、該２ラインのミシン線５、５に挟まれた二重ミシン線部４Ｂを切断することで、前記折り曲げ部４Ｃを除去することができる。つまり、前記二重ミシン線部４Ｂは切断部となる。
【００３０】
上記のように、切断部となる二重ミシン線部４Ｂを設ける構成としているので、前記移動阻止部材４を袋体本体１Ａの上部に突出させて、切断時の把持部を形成する必要もなく、前記折り曲げ部４Ｃを袋体本体１Ａの上端部１Ｂに当接させることができる。
【００３１】
図１（ａ）に示すように、前記移動阻止部材４を前記スライダー３の上部から該スライダー３を跨ぐように被覆して、前記折り曲げ部４Ｃが前記スライダー３に当接する程まで押し込み、前記表裏二枚のそれぞれの下側部４Ａを袋体本体１Ａに貼付すると、前記スライダー３を完全に被覆する構成となり、該スライダー３の移動を完璧に阻止することができる。さらに、スライダー３に当接するまで押し込んで前記折り曲げ部４Ｃを袋体本体１Ａの上端部１Ｂに当接させているので、該袋体本体１Ａの高さＨと略同じ高さにこの移動阻止部材４を装着することができる。
【００３２】
また、前記移動阻止部材４の幅Ｂは前記袋体本体１Ａの幅Ａの半分以下程度とし、前記移動阻止部材４を袋体の上端部１Ｂから突出しない程度に貼付しているので、移動阻止部材４を装着したチャック付き袋体１としても、その大きさは袋体本体１Ａの大きさと殆ど同一となる。
【００３３】
また、袋を開封する際には、図１（ｂ）に示すように、片面側の二重ミシン線部４Ｂを指で摘んで引っ張ると、ミシン線５、５の部分で切り離されるので、前記二重ミシン線部４Ｂを一気に切り取ることができる。
【００３４】
上記のような構成としているので、２ラインのミシン線５、５から構成される二重ミシン線部４Ｂの幅ｈは、指で摘むのに好適な幅でよく、本実施例では８ｍｍとしているが、人の指の大きさには大小があるので、５〜１０ｍｍ程度であればよい。
【００３５】
二重ミシン線部４Ｂを切り取って除去しても、移動阻止部材４の下側部４Ａは袋体に貼付されているので、そのまま袋体本体１Ａに残るが、上側の折り曲げ部４Ｃは貼付されていないのでそのまま除去することができる。表裏両面の二重ミシン線部４Ｂをそれぞれ除去すると前記折り曲げ部４Ｃを完全に除去することができるが、片面の二重ミシン線部４Ｂを除去するだけでも、下側部４Ａから切り離されて自由となる片方の折り曲げ部４Ｃをめくることで、スライダー３を露出することができる。ただし、表裏両面の二重ミシン線部４Ｂを除去して、両面の下側部４Ａから完全に切り離して折り曲げ部４Ｃを除去すると、スライダー３が完全に露出するので、開封作業がさらに容易となり好適である。
【００３６】
スライダー３を移動してチャック２を閉めた状態で、前記スライダー３の移動を阻止する位置に移動阻止部材４を配設するには、上記したスライダー３を被覆する位置ではなく、図３（ａ）に示す第二の実施例のように、チャック２を閉めた状態の前記スライダー３に接して貼付する場合もある。
【００３７】
この場合にも、表裏両面の二重ミシン線部４Ｂを除去して、両面の下側部４Ａから完全に切り離して折り曲げ部４Ｃを除去することで、スライダー３を移動可能とし、開封することができる。
【００３８】
また、図３（ｂ）に示すように、片面の二重ミシン線部４Ｂを除去するだけでも、下側部４Ａから切り離されて自由となる片方の折り曲げ部４Ｃをめくることで、スライダー３を移動可能として、開封操作をすることができる。
【００３９】
上記のように、片面の二重ミシン線部４Ｂを除去するだけでも、スライダー３の移動を容易に行うことができる。また、片面の二重ミシン線部４Ｂを除去せずに、折り曲げ部４Ｃを残すことで、再びスライダー３を移動してチャック２を閉めた時に、蓋体として再度利用することもできる。この場合にも、移動阻止部材４の幅Ｂは前記袋体本体１Ａの幅Ａの半分以下程度でよいことは明らかである。
【００４０】
幅Ｂが袋体の幅Ａの半分以下と長さの短い二重ミシン線部４Ｂを指で摘んで引っ張るだけで、一気に前記二重ミシン線部４Ｂを除去することができるので、図５に示す袋体の幅と同じ幅の開閉防止部材２０を切断するのに比較しても、さらに容易に移動阻止部材４を切断することができる。
【００４１】
二重ミシン線部４Ｂを除去して前記スライダー３を露出した後で、露出したスライダー３をチャック２に沿って移動させて袋の開封作業を容易に行うことができる。
【００４２】
上記のように、移動阻止部材４は、二つ折り状態に折り曲げた紙材でチャック２を跨ぐように被覆しているので、スライダー３の移動が阻止されており、間違って開封される恐れがない。また、長さの短い二重ミシン線部４Ｂを指で摘んで引っ張るだけで、前記移動阻止部材４を切断して前記スライダー３を移動させることができるので、開封作業が容易となる。
【００４３】
さらに、図４に示すように、移動阻止部材４を備えるチャック付き袋体１を多数梱包する梱包箱６のサイズは、前記チャック付き袋体１のサイズと略同じでよく、チャック付き袋体１の幅Ａ１より僅かに大きい梱包箱６の幅Ａ２でよい。また、梱包箱６の高さは、チャック付き袋体１の高さＨ１より僅かに大きい高さＨ２程度でよい。
【００４４】
そのために、チャック付き袋体１と略同じ大きさの梱包箱６内に効率よく収納することが可能となり、梱包コストや輸送コストを低減することができる。
【００４５】
また、袋体に貼付されて残る下側部４Ａに、収納する製品情報や品番等を、もしくは企業のコマーシャル等を記載しておくことも可能であり、製品の流通をさらに効果的に行うことができる。
【００４６】
上記したチャック付き袋体１はスライダー３を移動させてチャック２を開閉する袋体であるので、例えばゴムバンド等の小物を収納して搬送する袋として有効である。そのために、前記袋体本体１Ａの材質は、繰り返し使用可能でリサイクルが可能なように、ポリエチレン、ポリプロピレン等の樹脂製品が好ましいが、紙製或いはラミネート紙のような強度のある材質で製造した袋体であってもよい。
【００４７】
また、移動阻止部材４の材質として紙材を使用したが、ミシン線から容易に切断可能な材質であればよい。ただし、除去した後で焼却処分が容易な紙製であれば、公害を発生せずに廃棄処分することができ好適である。また紙材であれば、接着性や印刷性にも優れているのでさらに好ましい。
【００４８】
さらに、前記移動阻止部材４の色または模様を、前記袋体１に収納する製品により変える構成としておけば、袋体が同一サイズでよく似たものであっても、袋体に収納されている製品を容易に判別することができる。
【００４９】
上記したように本考案によれば、ゴムバンド等の小物を収容して搬送するのに好適な袋体とすることができ、さらに、該袋体のチャックを開閉するスライダーの移動を阻止すると共に、袋体を開封する際には容易に除去できる移動阻止部材を備えるチャック付き袋体とすることができる。
【図面の簡単な説明】
【００５０】
【図１】本考案に係るチャック付き袋体の第一の実施例を示しており、（ａ）は移動阻止部材を備えたチャック付き袋体の全体正面図であり、（ｂ）は二重ミシン線部を除去したところを示すチャック付き袋体の一部正面図である。
【図２】本考案に係る移動阻止部材の拡大斜視図である。
【図３】チャック付き袋体の第二の実施例を示しており、（ａ）は移動阻止部材を備えたチャック付き袋体の全体正面図であり、（ｂ）は二重ミシン線部を除去したところを示すチャック付き袋体の一部正面図である。
【図４】本考案に係るチャック付き袋体を梱包箱に収納したところを示す斜視図である。
【図５】従来の袋体の開閉防止部材の一例を示す全体正面図である。
【符号の説明】
【００５１】
１  チャック付き袋体
１Ａ  袋体本体
１Ｂ  上端部
２  チャック
３  スライダー
４  移動阻止部材
４Ａ  下側部
４Ｂ  二重ミシン線部
４Ｃ  折り曲げ部
５  ミシン線
Ａ  袋体の幅
Ｂ  移動阻止部材の幅
ｈ  二重ミシン線部の幅
【図１】
0003105448.tif 000003
【図２】
0003105448.tif 000004
【図３】
0003105448.tif 000005
【図４】
0003105448.tif 000006
【図５】
0003105448.tif 000007